(57)【要約】【課題】電源の投入状態や電波環境に関係なく、携帯通信端末の使用者に対して確実にその携帯通信端末の着信履歴の情報を報知することが可能な携帯通信端末を有する移動体通信システムを提供する。【解決手段】本発明の移動体通信システムは、携帯通信端末が受信不可能状態で該携帯通信端末１０（１０ａ，１０ｂ，１０ｃ）に音声呼着信があった場合に、交換局２３が、予め登録された携帯通信端末に関する着信履歴サービス番号に応じた着信状況を着信履歴として保存する保存手段（着信履歴記憶装置）２８と、携帯通信端末が位置登録要求をした場合に、交換局２３が保存手段（着信履歴記憶装置）２８に保存された着信履歴を読み出して携帯通信端末１０（１０ａ，１０ｂ，１０ｃ）に送信する送信手段とを備えるようにしている。【選択図】  図３
2004343406.tif 000002
【特許請求の範囲】
【請求項１】
携帯通信端末と、交換ノードと、該交換ノードにアクセス可能なノード装置とを有する移動体通信システムであって、
前記携帯通信端末が受信不可能状態で該携帯通信端末に音声呼着信があった場合に、前記交換ノードまたは該交換ノードにアクセス可能なノード装置が予め登録された前記携帯通信端末に関する着信履歴サービスに応じた着信状況を着信履歴として保存する保存手段と、
前記携帯通信端末が位置登録要求をした場合に、前記交換ノードまたは該交換ノードにアクセス可能なノード装置が前記保存手段に保存された着信履歴を読み出して前記携帯通信端末に送信する送信手段とを備えるようにしたことを特徴とする移動体通信システム。
【請求項２】
前記携帯通信端末に電源が投入された際または電源の投入状態で電波の受発信可能領域に到達した際に、該携帯通信端末が予め定められた特定の番号へ発信することにより前記保存手段に保存された前記着信履歴の内容を参照可能にしたことを特徴とする請求項１に記載の移動体通信システム。
【請求項３】
前記交換ノードまたは該交換ノードにアクセス可能なノード装置が前記保存手段に保存された着信履歴を前記携帯通信端末に送信する際に、該着信履歴の内容をデータ通信メールの内容として送信するようにしたことを特徴とする請求項１または請求項２に記載の移動体通信システム。
【発明の詳細な説明】
【０００１】
【発明の属する技術分野】
本発明は、携帯電話機、ＰＨＳ（ｐｅｒｓｏｎａｌ  ｈａｎｄｙ−ｐｈｏｎｅ  ｓｙｓｔｅｍ）あるいはＰＤＡ（ｐｅｒｓｏｎａｌ  ｄｉｇｉｔａｌ  ａｓｓｉｓｔａｎｔｓ）などの携帯通信端末を有する移動体通信システムに関する。
【０００２】
【従来の技術】
携帯電話機、ＰＨＳ、ＰＤＡなどの携帯通信端末は、移動中の連絡通信手段として、広く一般に普及するようになった。この種の携帯通信端末に搭載されている機能の一つとして、この携帯通信端末に着信があった状況を時系列的に保存する着信履歴機能がある。この着信履歴機能においては、例えば、着信のあった日時、電話をかけてきた相手等を保存するようになっている。また、通話を行なった場合にはその通話時間を保存するようになっている。
【０００３】
【発明が解決しようとする課題】
しかしながら、上述した着信履歴機能は、携帯通信端末に個々に搭載された機能である。このため、携帯通信端末の電源を切っている場合や、電源を投入していても通信圏外にあって電波の送受信を行なうことができないような場合には、この携帯通信端末に着信があったとしてもそれを認識することができない。このため、その着信履歴の情報は保存できないこととなる。
【０００４】
この点は、留守番伝言サービス等を利用することである程度解決することができるが、発信者が伝言を残さないと誰からの着信であったかが分からないし、留守番伝言サービスは予め最寄の基地局と通信可能な状態でその都度設定のオン／オフを指示操作しなくてはならず、その手間が煩雑であり、あまり積極的には利用されていないのが現状である。
【０００５】
そこで、本発明は、上記問題点を解決するためになされたものであって、電源の投入状態や電波環境に関係なく、携帯通信端末の使用者に対して確実にその携帯通信端末の着信履歴の情報を報知することが可能な携帯通信端末を有する移動体通信システムを提供することを目的とするものである。
【０００６】
【課題を解決するための手段】
上記目的を達成するため、本発明の移動体通信システムは、携帯通信端末が受信不可能状態で該携帯通信端末に音声呼着信があった場合に、交換ノードまたは該交換ノードにアクセス可能なノード装置が、予め登録された携帯通信端末に関する着信履歴サービスに応じた着信状況を着信履歴として保存する保存手段と、携帯通信端末が位置登録要求をした場合に、交換ノードまたは該交換ノードにアクセス可能なノード装置が保存手段に保存された着信履歴を読み出して携帯通信端末に送信する送信手段とを備えるようにしたことを特徴とする。
【０００７】
このように、交換ノードまたは該交換ノードにアクセス可能なノード装置が、予め登録された携帯通信端末に関する着信履歴サービスに応じた着信状況を着信履歴として保存する保存手段を備えるとともに、該保存手段に保存された着信履歴を読み出して携帯通信端末に送信する送信手段とを備えると、携帯通信端末が受信不可能状態で該携帯通信端末に音声呼着信があった場合でも、携帯通信端末が位置登録要求をした場合に保存手段に保存された着信履歴を読み出すことにより容易に着信履歴を知ることが可能となる。
【０００８】
この場合、携帯通信端末に電源が投入された際または電源の投入状態で電波の受発信可能領域に到達した際に、該携帯通信端末が予め定められた特定の番号へ発信することにより保存手段に保存された着信履歴の内容を参照可能にすればよい。さらに、交換ノードまたは該交換ノードにアクセス可能なノード装置が保存手段に保存された着信履歴を携帯通信端末に送信する際に、該着信履歴の内容をデータ通信メールの内容として送信するようにすれば、携帯通信端末は、改めて特定の番号に発信することなく、着信履歴情報およびその内容を知ることができるようになる。
【０００９】
【発明の実施の形態】
ついで、本発明の一実施の形態を図１〜図１０に基づいて説明する。なお、図１は本発明の移動体通信システムの概略構成を模式的に示す図である。図２〜図８は交換局の着信履歴を記憶するための処理動作を示すフローチャートである。図９は交換局から携帯通信端末へ着信履歴を通知する処理動作を示すフローチャートである。図１０は携帯通信端末からの着信の問い合わせに対する着信記録の履歴読み出し動作を示すシーケンス図である。
【００１０】
１．移動体通信システム
まず、本実施の形態の移動体通信システムの概略構成を図１に基づいて説明する。本実施の形態の移動体通信システムは、携帯通信端末（携帯電話機）１０（図１においては、１０ａ，１０ｂ，１０ｃを示している）を含み、例えば、無線基地局（ＢＳ：Ｂａｓｅ  Ｓｔａｔｉｏｎ）２１（図１においては、２１ａ，２１ｂ，２１ｃを示している）および移動電話網２２を介して交換局（ＭＳＣ：Ｍｏｂｉｌｅ  Ｓｗｔｃｈｉｎｇ  Ｃｅｎｔｅｒ；）２３に接続されている。交換局（ＭＳＣ）２３にはＨＬＲ（Ｈｏｍｅ  Ｌａｃａｔｉｏｎ  Ｒｅｇｉｓｔｅｒ）２４が設けられている。このＨＬＲ２４には、移動電話網における全携帯電話機１０の位置情報（セル番号）や加入者データなどを管理する網内データベースが格納されている。
【００１１】
ここで、携帯通信端末（携帯電話機）１０が、自機に記憶されている自機が在圏しているセルのセル番号と報知されているセル番号とを照合して、不一致になった時に携帯通信端末１０は網内に位置登録信号を送出する。これを受信した当該セルの基地局２１は、位置登録信号を交換局（ＭＳＣ）２３に送る。交換局（ＭＳＣ）２３は、位置登録信号をルーチング可能な位置情報に変換してＨＬＲ２４に格納する。すなわち、セルＡに属している携帯電話機１０ａにおけるＨＬＲ２４に格納されている位置情報欄には、セルＡのセル番号が格納されていることになる。例えば、携帯電話機１０ａがセルＡからセルＢに移動すると、上述したように携帯電話機１０ａはセルＢに位置登録し直され、さらに、携帯電話機１０ａがセルＢからセルＣに移動すると、携帯電話機１０ａはセルＣに位置登録し直されるようになる。
【００１２】
また、交換局（ＭＳＣ）２３には携帯電話機１０に種々のサービスを提供するサービスセンター２５と、メールを蓄積しているメールサーバ２６と、留守番メッセージが記憶されている留守電サーバ２７と、携帯電話機ごとの着信履歴を記憶している着信履歴記憶装置２８と、携帯電話機毎の通話料金の課金データが記憶されている課金情報管理サーバ２９とが接続されている。ここで、サービスセンター２５には、交通情報、天気予報、ニュース等の各種情報サービスデータが格納されているサービスデータベースが備えられている。
【００１３】
また、メールサーバ２６は携帯電話機ごとのメールを蓄積しており、留守電サーバ２７には留守番伝言サービスを契約している携帯電話機ごとに伝言（メッセージ）が記憶されている。着信履歴記憶装置２８は携帯電話機ごとの着信履歴を記憶していて、携帯電話機からの着信の問い合わせに対して応答できるようにしている。課金情報管理サーバ２９は携帯電話機毎の通話料金の課金データが記憶され、メモリエリアには携帯電話機毎あるいは管理者基地局毎の特定機能の使用料金の課金データが記憶されている。
【００１４】
２．着信履歴記憶サービスの処理動作
ついで、上述のように構成される移動体通信システムの着信履歴記憶サービスの処理動作について、以下に詳細に説明する。まず、交換局（ＭＳＣ）２３が着信履歴記憶サービスに加入している携帯電話機１０（例えば１０ａ）への着信を検出すると、交換局（ＭＳＣ）２３のＣＰＵ（図示せず）は着信履歴記憶サービスの処理動作を開始する。すると、交換局（ＭＳＣ）２３のＣＰＵは、この携帯電話機１０が着信履歴記憶サービスの加入サービス番号をＨＬＲ２４に問い合わせる。
【００１５】
問い合わせた結果、着信履歴記憶サービスのサービス番号が１（Ｎｏ．１）であると、ステップＳ１０にて「Ｙｅｓ」と判定して、ステップＳ１１に進める。サービス番号が２（Ｎｏ．２）であると、ステップＳ２０にて「Ｙｅｓ」と判定して、ステップＳ２１に進める。サービス番号が３（Ｎｏ．３）であると、ステップＳ３０にて「Ｙｅｓ」と判定して、ステップＳ３１に進める。サービス番号が４（Ｎｏ．４）であると、ステップＳ４０にて「Ｙｅｓ」と判定して、ステップＳ４１に進める。サービス番号が５（Ｎｏ．５）であると、ステップＳ５０にて「Ｙｅｓ」と判定して、ステップＳ５１に進める。さらに、サービス番号が６（Ｎｏ．６）であると、ステップＳ５０にて「Ｎｏ」と判定してステップＳ６０に進めた後、ステップＳ６１に進める。
【００１６】
なお、サービス番号１（Ｎｏ．１）は、この携帯電話機１０に着信が発生した場合は無条件で着信履歴を記憶するサービスであることを意味する。サービス番号２（Ｎｏ．２）は、呼出（ページング）があっても呼出応答がなかった場合に着信履歴を記憶するサービスであることを意味する。サービス番号３（Ｎｏ．３）は、呼出応答がなかった場合で、かつ着信転送サービスに加入している場合に、この携帯電話機１０に着信が発生すると着信履歴を記憶するサービスであることを意味する。
【００１７】
サービス番号４（Ｎｏ．４）は、呼出応答がなかった場合で、かつ着信転送サービスに加入していて着信転送がなされ、着信転送されても呼出応答がなかった場合に着信履歴を記憶するサービスであることを意味する。サービス番号５（Ｎｏ．５）は、呼出応答ががなかった場合で、かつ留守番伝言サービスに転送された全ての着信履歴が記憶するサービスであることを意味する。サービス番号６（Ｎｏ．６）は、呼出応答がなかった場合で、かつ留守番伝言サービスに加入していて、留守電サーバ２７にメッセージが記録されなかった場合に、着信履歴を記憶するサービスであることを意味する。
【００１８】
（１）サービス番号１の動作
ついで、図３のステップＳ１１に進むと、交換局（ＭＳＣ）２３のＣＰＵは、この着信情報を着信履歴記憶装置２８に記憶させる。これにより、後に携帯電話機１０（例えば１０ａ）からの着信の問い合わせに対して応答できるようになる。ついで、基地局２１（例えば２１ａ）を介して、携帯電話機１０（例えば１０ａ）にページング（呼出）信号を送信する。ここで、携帯電話機１０がページング（呼出）信号に応じて着信無線状態報告信号を送信すると、交換局（ＭＳＣ）２３は基地局２１（例えば２１ａ）を介して着信無線状態報告信号を受信するので、ステップＳ１３にて「Ｙｅｓ」と判定して、ステップＳ１９ａにて通常の着信動作を行う。そして、通常の着信動作を終了すると、ステップＳ１９ｂに進めて通常の切断動作を行った後、この処理を終了する。
【００１９】
一方、携帯電話機１０が圏外あるいは電源がオフされている状態であると、携帯電話機１０は着信無線状態報告信号を送信しないため、交換局（ＭＳＣ）２３は基地局２１（例えば２１ａ）を介して着信無線状態報告信号を受信できないこととなる。このため、ステップＳ１３にて「Ｎｏ」と判定して、ステップＳ１４に進める。ステップＳ１４においては、交換局（ＭＳＣ）２３のＣＰＵは、この携帯電話機１０が転送サービスに加入しているか否かをＨＬＲ２４に問い合わせる。問い合わせた結果、転送サービスに加入していないと、ステップＳ１４にて「Ｎｏ」と判定して、ステップＳ１９ｂにて通常の切断動作を行った後、この処理を終了する。
【００２０】
転送サービスに加入していると、ステップＳ１４にて「Ｙｅｓ」と判定して、ステップＳ１５に進め、転送サービスが留守番伝言サービスでない場合は、ステップＳ１５にて「Ｎｏ」と判定してステップＳ１６に進め、予め登録された所定の転送先に転送する。転送した結果、交換局（ＭＳＣ）２３が着信無線状態報告信号を受信すると、ステップＳ１７にて「Ｙｅｓ」と判定して、ステップＳ１９ａにて通常の着信動作を行う。交換局（ＭＳＣ）２３が着信無線状態報告信号を受信できないと、ステップＳ１７にて「Ｎｏ」と判定して、ステップＳ１９ｂにて通常の切断動作を行った後、この処理を終了する。
【００２１】
転送サービスが留守番伝言サービスである場合は、ステップＳ１５にて「Ｙｅｓ」と判定して、留守電サーバ２７に接続して所定の留守番伝言処理を行う。この留守番伝言処理において、メッセージが記録された場合はステップＳ１８にて「Ｙｅｓ」と判定して、ステップＳ１９ｂにて通常の切断動作を行った後、この処理を終了する。また、メッセージが記録されなかった場合には、ステップＳ１８にて「Ｎｏ」と判定して、ステップＳ１９ｂにて通常の切断動作を行った後、この処理を終了する。
【００２２】
上述したように、着信履歴サービスのサービス番号１が選択された場合は、この携帯電話機１０に着信が発生した場合は無条件で全ての着信履歴が記憶されることとなるので、このサービス番号１の利用者は、自分が使用する携帯電話機１０（例えば１０ａ）の全ての着信履歴を知ることができるようになる。
【００２３】
（２）サービス番号２の動作
ついで、図４のステップＳ２１に進むと、交換局（ＭＳＣ）２３のＣＰＵは、基地局２１（例えば２１ａ）を介して、携帯電話機１０（例えば１０ａ）にページング（呼出）信号を送信する。ここで、携帯電話機１０がページング（呼出）信号に応じて着信無線状態報告信号を送信すると、交換局（ＭＳＣ）２３は基地局２１（例えば２１ａ）を介して着信無線状態報告信号を受信するので、ステップＳ２２にて「Ｙｅｓ」と判定して、ステップＳ２９ａにて通常の着信動作を行う。そして、通常の着信動作を終了すると、ステップＳ２９ｂに進めて通常の切断動作を行った後、この処理を終了する。
【００２４】
一方、携帯電話機１０が圏外あるいは電源がオフされている状態であると、携帯電話機１０は着信無線状態報告信号を送信しないため、交換局（ＭＳＣ）２３は基地局２１（例えば２１ａ）を介して着信無線状態報告信号を受信できないこととなる。このため、ステップＳ２２にて「Ｎｏ」と判定して、ステップＳ２３に進め、交換局（ＭＳＣ）２３のＣＰＵは、この着信情報を着信履歴記憶装置２８に記憶させる。これにより、後に携帯電話機１０（例えば１０ａ）からの着信の問い合わせに対して応答できるようになる。
【００２５】
ついで、ステップＳ２４に進めて、上述したステップＳ１４〜Ｓ１９ｂまでの動作と同様な動作を、ステップＳ２４〜２９ｂまでの動作で行う。このように、着信履歴サービスのサービス番号２が選択された場合は、この携帯電話機１０に着信が発生し、かつ呼出応答がなかった場合は全ての着信履歴が記憶されることとなるので、このサービス番号２の利用者は、自分が応答（通話）した相手以外の着信履歴を知ることができるようになる。
【００２６】
（３）サービス番号３の動作
ついで、図５のステップＳ３１に進むと、交換局（ＭＳＣ）２３のＣＰＵは、基地局２１（例えば２１ａ）を介して、携帯電話機１０（例えば１０ａ）にページング（呼出）信号を送信する。ここで、携帯電話機１０がページング（呼出）信号に応じて着信無線状態報告信号を送信すると、交換局（ＭＳＣ）２３は基地局２１（例えば２１ａ）を介して着信無線状態報告信号を受信するので、ステップＳ３２にて「Ｙｅｓ」と判定して、ステップＳ３９ａにて通常の着信動作を行う。そして、通常の着信動作を終了すると、ステップＳ３９ｂに進めて通常の切断動作を行った後、この処理を終了する。
【００２７】
一方、携帯電話機１０が圏外あるいは電源がオフされている状態であると、携帯電話機１０は着信無線状態報告信号を送信しないため、交換局（ＭＳＣ）２３は基地局２１（例えば２１ａ）を介して着信無線状態報告信号を受信できないこととなる。このため、ステップＳ３２にて「Ｎｏ」と判定して、ステップＳ３３に進める。ステップＳ３３においては、交換局（ＭＳＣ）２３のＣＰＵは、この携帯電話機１０が転送サービスに加入しているか否かをＨＬＲ２４に問い合わせる。問い合わせた結果、転送サービスに加入していないと、ステップＳ３３にて「Ｎｏ」と判定して、ステップＳ３９ｂにて通常の切断動作を行った後、この処理を終了する。
【００２８】
転送サービスに加入していると、ステップＳ３３にて「Ｙｅｓ」と判定して、ステップＳ３４に進め、転送サービスが留守番伝言サービスでない場合は、ステップＳ３４にて「Ｎｏ」と判定してステップＳ３５に進め、交換局（ＭＳＣ）２３のＣＰＵは、この着信情報を着信履歴記憶装置２８に記憶させる。これにより、後に携帯電話機１０（例えば１０ａ）からの着信の問い合わせに対して応答できるようになる。ついで、ステップＳ３６に進め、上述したステップＳ１６〜Ｓ１９ｂまでの動作と同様な動作を、ステップＳ３６〜３９ｂまでの動作で行う。
【００２９】
このように、着信履歴サービスのサービス番号３が選択された場合は、この携帯電話機１０からの呼出応答がなく、かつ留守番伝言サービス以外の転送サービスに転送された全ての着信履歴が記憶されることとなるので、このサービス番号３の利用者は、留守番伝言サービス以外の転送サービスに転送された着信履歴を知ることができるようになる。
【００３０】
（４）サービス番号４の動作
ついで、図６のステップＳ４１に進むと、交換局（ＭＳＣ）２３のＣＰＵは、基地局２１（例えば２１ａ）を介して、携帯電話機１０（例えば１０ａ）にページング（呼出）信号を送信する。ここで、携帯電話機１０がページング（呼出）信号に応じて着信無線状態報告信号を送信すると、交換局（ＭＳＣ）２３は基地局２１（例えば２１ａ）を介して着信無線状態報告信号を受信するので、ステップＳ４２にて「Ｙｅｓ」と判定して、ステップＳ４９ａにて通常の着信動作を行う。そして、通常の着信動作を終了すると、ステップＳ４９ｂに進めて通常の切断動作を行った後、この処理を終了する。
【００３１】
一方、携帯電話機１０が圏外あるいは電源がオフされている状態であると、携帯電話機１０は着信無線状態報告信号を送信しないため、交換局（ＭＳＣ）２３は基地局２１（例えば２１ａ）を介して着信無線状態報告信号を受信できないこととなる。このため、ステップＳ４２にて「Ｎｏ」と判定して、ステップＳ４３に進める。ステップＳ４３においては、交換局（ＭＳＣ）２３のＣＰＵは、この携帯電話機１０が転送サービスに加入しているか否かをＨＬＲ２４に問い合わせる。問い合わせた結果、転送サービスに加入していないと、ステップＳ４３にて「Ｎｏ」と判定して、ステップＳ４９ｂにて通常の切断動作を行った後、この処理を終了する。
【００３２】
転送サービスに加入していると、ステップＳ４３にて「Ｙｅｓ」と判定して、ステップＳ４４に進め、転送サービスが留守番伝言サービスでない場合は、ステップＳ４４にて「Ｎｏ」と判定してステップＳ４５に進め、予め登録された所定の転送先に転送する。転送した結果、交換局（ＭＳＣ）２３が着信無線状態報告信号を受信すると、ステップＳ４６にて「Ｙｅｓ」と判定して、ステップＳ４９ａにて通常の着信動作を行う。そして、通常の着信動作を終了すると、ステップＳ４９ｂに進めて通常の切断動作を行った後、この処理を終了する。
【００３３】
交換局（ＭＳＣ）２３が着信無線状態報告信号を受信できないと、ステップＳ４６にて「Ｎｏ」と判定して、次のステップＳ４７に進め、このステップＳ４７にて、着信情報を着信履歴記憶装置２８に記憶させる。これにより、後に携帯電話機１０（例えば１０ａ）からの着信の問い合わせに対して応答できるようになる。ついで、ステップＳ４９ｂにて通常の切断動作を行った後、この処理を終了する。
【００３４】
転送サービスが留守番伝言サービスである場合は、ステップＳ４４にて「Ｙｅｓ」と判定して、留守電サーバ２７に接続して所定の留守番伝言処理を行う。この留守番伝言処理において、メッセージが記録された場合はステップＳ４８にて「Ｙｅｓ」と判定して、ステップＳ４９ｂにて通常の切断動作を行った後、この処理を終了する。また、メッセージが記録されなかった場合には、ステップＳ４８にて「Ｎｏ」と判定して、ステップＳ４９ｂにて通常の切断動作を行った後、この処理を終了する。
【００３５】
上述したように、着信履歴サービスのサービス番号４が選択された場合は、この携帯電話機１０からの呼出応答がなく、かつ留守番伝言サービス以外の転送サービスに転送され、さらに、転送先でも呼出応答がなかった場合においては着信履歴が記憶されることとなる。これにより、このサービス番号４の利用者は、留守番伝言サービス以外の転送サービスに転送され、かつ転送先でも呼出応答がなかった着信履歴を知ることができるようになる。
【００３６】
（５）サービス番号５の動作
ついで、図７のステップＳ５１に進むと、交換局（ＭＳＣ）２３のＣＰＵは、基地局２１（例えば２１ａ）を介して、携帯電話機１０（例えば１０ａ）にページング（呼出）信号を送信する。ここで、携帯電話機１０がページング（呼出）信号に応じて着信無線状態報告信号を送信すると、交換局（ＭＳＣ）２３は基地局２１（例えば２１ａ）を介して着信無線状態報告信号を受信するので、ステップＳ５２にて「Ｙｅｓ」と判定して、ステップＳ５９ａにて通常の着信動作を行う。そして、通常の着信動作を終了すると、ステップＳ５９ｂに進めて通常の切断動作を行った後、この処理を終了する。
【００３７】
一方、携帯電話機１０が圏外あるいは電源がオフされている状態であると、携帯電話機１０は着信無線状態報告信号を送信しないため、交換局（ＭＳＣ）２３は基地局２１（例えば２１ａ）を介して着信無線状態報告信号を受信できないこととなる。このため、ステップＳ５２にて「Ｎｏ」と判定して、ステップＳ５３に進める。ステップＳ５３においては、交換局（ＭＳＣ）２３のＣＰＵは、この携帯電話機１０が転送サービスに加入しているか否かをＨＬＲ２４に問い合わせる。問い合わせた結果、転送サービスに加入していないと、ステップＳ５３にて「Ｎｏ」と判定して、ステップＳ５９ｂにて通常の切断動作を行った後、この処理を終了する。
【００３８】
転送サービスに加入していると、ステップＳ５３にて「Ｙｅｓ」と判定して、ステップＳ５４に進め、転送サービスが留守番伝言サービスでない場合は、ステップＳ５４にて「Ｎｏ」と判定してステップＳ５５に進め、予め登録された所定の転送先に転送する。転送した結果、交換局（ＭＳＣ）２３が着信無線状態報告信号を受信すると、ステップＳ５６にて「Ｙｅｓ」と判定して、ステップＳ５９ａにて通常の着信動作を行う。そして、通常の着信動作を終了すると、ステップＳ５９ｂに進めて通常の切断動作を行った後、この処理を終了する。交換局（ＭＳＣ）２３が着信無線状態報告信号を受信できないと、ステップＳ５６にて「Ｎｏ」と判定して、ステップＳ５９ｂにて通常の切断動作を行った後、この処理を終了する。
【００３９】
転送サービスが留守番伝言サービスである場合は、ステップＳ５４にて「Ｙｅｓ」と判定して、次のステップＳ５７にて、この着信情報を着信履歴記憶装置２８に記憶させる。これにより、後に携帯電話機１０（例えば１０ａ）からの着信の問い合わせに対して応答できるようになる。ついで、留守電サーバ２７に接続して所定の留守番伝言処理を行う。この留守番伝言処理において、メッセージが記録された場合はステップＳ５８にて「Ｙｅｓ」と判定して、ステップＳ５９ｂにて通常の切断動作を行った後、この処理を終了する。また、メッセージが記録されなかった場合には、ステップＳ５８にて「Ｎｏ」と判定して、ステップＳ５９ｂにて通常の切断動作を行った後、この処理を終了する。
【００４０】
上述したように、着信履歴サービスのサービス番号５が選択された場合は、この携帯電話機１０からの呼出応答がなく、かつ留守番伝言サービスに転送された全ての着信履歴が記憶されることとなるので、このサービス番号５の利用者は、留守番伝言サービスに転送された着信履歴を知ることができるようになる。
【００４１】
（６）サービス番号６の動作
ついで、図８のステップＳ６１に進むと、交換局（ＭＳＣ）２３のＣＰＵは、基地局２１（例えば２１ａ）を介して、携帯電話機１０（例えば１０ａ）にページング（呼出）信号を送信する。ここで、携帯電話機１０がページング（呼出）信号に応じて着信無線状態報告信号を送信すると、交換局（ＭＳＣ）２３は基地局２１（例えば２１ａ）を介して着信無線状態報告信号を受信するので、ステップＳ６２にて「Ｙｅｓ」と判定して、ステップＳ６９ａにて通常の着信動作を行う。そして、通常の着信動作を終了すると、ステップＳ６９ｂに進めて通常の切断動作を行った後、この処理を終了する。
【００４２】
一方、携帯電話機１０が圏外あるいは電源がオフされている状態であると、携帯電話機１０は着信無線状態報告信号を送信しないため、交換局（ＭＳＣ）２３は基地局２１（例えば２１ａ）を介して着信無線状態報告信号を受信できないこととなる。このため、ステップＳ６２にて「Ｎｏ」と判定して、ステップＳ６３に進める。ステップＳ６３においては、交換局（ＭＳＣ）２３のＣＰＵは、この携帯電話機１０が転送サービスに加入しているか否かをＨＬＲ２４に問い合わせる。問い合わせた結果、転送サービスに加入していないと、ステップＳ６３にて「Ｎｏ」と判定して、ステップＳ６９ｂにて通常の切断動作を行った後、この処理を終了する。
【００４３】
転送サービスに加入していると、ステップＳ６３にて「Ｙｅｓ」と判定して、ステップＳ６４に進め、転送サービスが留守番伝言サービスでない場合は、ステップＳ６４にて「Ｎｏ」と判定してステップＳ６５に進め、予め登録された所定の転送先に転送する。転送した結果、交換局（ＭＳＣ）２３が着信無線状態報告信号を受信すると、ステップＳ６６にて「Ｙｅｓ」と判定して、ステップＳ６９ａにて通常の着信動作を行う。そして、通常の着信動作を終了すると、ステップＳ６９ｂに進めて通常の切断動作を行った後、この処理を終了する。交換局（ＭＳＣ）２３が着信無線状態報告信号を受信できないと、ステップＳ６６にて「Ｎｏ」と判定して、ステップＳ６９ｂにて通常の切断動作を行った後、この処理を終了する。
【００４４】
転送サービスが留守番伝言サービスである場合は、ステップＳ６４にて「Ｙｅｓ」と判定して、留守電サーバ２７に接続して所定の留守番伝言処理を行う。この留守番伝言処理において、メッセージが記録された場合はステップＳ６７にて「Ｙｅｓ」と判定して、ステップＳ６９ｂにて通常の切断動作を行った後、この処理を終了する。また、メッセージが記録されなかった場合には、ステップＳ６７にて「Ｎｏ」と判定して、次のステップＳ６８にて、この着信情報を着信履歴記憶装置２８に記憶させる。これにより、後に携帯電話機１０（例えば１０ａ）からの着信の問い合わせに対して応答できるようになる。ついで、ステップＳ６９ｂにて通常の切断動作を行った後、この処理を終了する。
【００４５】
上述したように、着信履歴サービスのサービス番号６が選択された場合は、この携帯電話機１０からの呼出応答がなく、かつ留守番伝言サービスに転送され、さらに、留守電サーバにメッセージが記録されなかった全ての着信履歴が記憶されることとなる。これにより、このサービス番号６の利用者は、留守番メッセージが録音されていなかった相手の着信履歴（電話番号、着信時間など）を知ることができるようになる。
【００４６】
３．着信履歴情報の通知および読み出し
ここで、携帯電話機１０の電源が投入されたり、あるいは携帯電話機１０が圏内に入ると、携帯電話機１０は位置登録要求信号を送出するので、位置登録要求信号を受信した当該セルの基地局２１は、位置登録要求信号を交換局（ＭＳＣ）２３に送る。すると、交換局（ＭＳＣ）２３は、図９のステップＳ７１にて「Ｙｅｓ」と判定して、位置登録要求信号をルーチング可能な位置情報に変換してＨＬＲ２４に格納する。ついで、交換局（ＭＳＣ）２３のＣＰＵはステップＳ７２に進めて、位置登録要求信号を送信した携帯電話機１０が着信履歴記憶サービスに加入しているか否かをＨＬＲ２４に問い合わせるとともに、着信履歴が記憶されているか否かを着信履歴記憶装置２８に問い合わせる。
【００４７】
問い合わせた結果、着信履歴記憶サービスに加入していなかったり、あるいは着信履歴が記憶されていなかった場合は、ステップＳ７２にて「Ｎｏ」と判定して、交換局（ＭＳＣ）２３は、次のステップＳ７４にて基地局２１（例えば２１ａ）を介して、携帯電話機１０（例えば１０ａ）に位置登録受付信号を送信する。これにより、携帯電話機１０の受信部はこの位置登録受付信号をアンテナを介して受信して位置登録を完了する。
【００４８】
一方、問い合わせた結果、着信履歴記憶サービスに加入しており、かつ着信履歴が記憶されていた場合は、ステップＳ７２にて「Ｙｅｓ」と判定する。すると、交換局（ＭＳＣ）２３は、次のステップＳ７３にて基地局２１（例えば２１ａ）を介して、携帯電話機１０（例えば１０ａ）に位置登録受付信号を送信するとともに、着信履歴情報が存在する旨の信号を送信する。これにより、携帯電話機１０の受信部はこの位置登録受付信号および着信履歴情報をアンテナを介して受信し、位置登録を完了するとともに、表示装置に着信履歴情報が存在する旨を表示させることとなる。
【００４９】
ついで、携帯電話機１０（例えば１０ａ）からの着信の問い合わせに対する着信記録の履歴読み出し動作を図１０のシーケンス図に基づいて説明する。ここで、携帯電話機１０（例えば１０ａ）が、電源オフ時（あるいは圏外にあった時）に着信があったか否かを知るために、特定のダイヤル番号（Ｂ番号）にダイヤルすると、携帯電話機１０は基地局２１（例えば２１ａ）を介して交換局（ＭＳＣ）２３に、発信無線状態報告メッセージ、ＳＥＴＵＰ（呼設定）メッセージ、ダイヤル番号を送信する。
【００５０】
これに応答して交換局（ＭＳＣ）２３はＣＡＬＬＰＲＯＣ（呼設定受付）メッセージおよび認証要求メッセージを基地局２１（例えば２１ａ）を介して携帯電話機１０に送出する。すると、携帯電話機１０は認証要求メッセージに応答して認証応答メッセージを基地局２１（例えば２１ａ）を介して交換局（ＭＳＣ）２３に送出する。これにより、交換局（ＭＳＣ）２３は着信履歴記憶装置２８に接続要求メッセージを送信した後、携帯電話機１０に基地局２１（例えば２１ａ）を介してレベル測定要求メッセージを送出する。携帯電話機１０がレベル測定要求メッセージを受信すると、携帯電話機１０はレベル測定応答メッセージを送信する。
【００５１】
携帯電話機１０がレベル測定応答メッセージを送信すると、交換局（ＭＳＣ）２３は基地局２１（例えば２１ａ）を介して無線チャンネル指定メッセージおよびＡＬＥＲＴ（呼出）メッセージを携帯電話機１０に送出する。このとき、交換局（ＭＳＣ）２３が着信履歴記憶装置２８から接続応答メッセージを受信すると、交換局（ＭＳＣ）２３は基地局２１（例えば２１ａ）を介してＣＯＮＮ（応答）メッセージを携帯電話機１０に送出する。このＣＯＮＮ（応答）メッセージに基づいて、携帯電話機１０はＣＯＮＮＡＣＫ（応答確認）メッセージを送出する。これにより、携帯電話機１０と交換局（ＭＳＣ）２３との接続が確立されて、携帯電話機１０は着信履歴記憶装置２８に記憶された着信履歴を着信履歴記憶装置２８から取り出すことが可能となる。
【００５２】
４．変形例
上述した例においては、携帯電話機１０の使用者が着信履歴の内容（発信番号、着信時刻など）を知るために、着信履歴情報の報知を受けた後、特定のダイヤル番号（Ｂ番号）にダイヤルする例について説明した。しかしながら、着信履歴情報の報知を受けた後、特定のダイヤル番号（Ｂ番号）にダイヤルするのは面倒であるので、以下のような変形例を図１１のシーケンス図に基づいて説明する。
【００５３】
この場合、携帯電話機１０が圏外あるいは電源がオフされている状態であると、交換局（ＭＳＣ）２３のＣＰＵは、基地局２１（例えば２１ａ）を介して、携帯電話機１０（例えば１０ａ）にページング（呼出）信号を送信しても、携帯電話機１０は着信無線状態報告信号を送信しないため、交換局（ＭＳＣ）２３は基地局２１（例えば２１ａ）を介して着信無線状態報告信号を受信できないこととなる。このため、交換局（ＭＳＣ）２３のＣＰＵは、この着信情報を着信履歴記憶装置２８に記憶（記録）させる。
【００５４】
交換局（ＭＳＣ）２３のＣＰＵが着信情報を着信履歴記憶装置２８に記憶（記録）させると、着信履歴記憶装置２８は、この着信履歴情報をメールサーバ２６に通達することとなる。これにより、メールサーバ２６は着信履歴情報の存在およびその内容を携帯電話機１０（例えば１０ａ）に伝えるためのメールを生成させる。この後、メールサーバ２６は当該携帯電話機１０（例えば１０ａ）に着信履歴情報が存在およびその内容のメールを配信することとなる。これにより、携帯電話機１０（例えば１０ａ）は、改めてＢ番号にダイヤルすることなく、着信履歴情報およびその内容を知ることができるようになる。
【００５５】
【発明の効果】
上述したように、本発明においては、交換局２３が、予め登録された携帯通信端末１０（１０ａ，１０ｂ，１０ｃ）に関する着信履歴サービスに応じた着信状況を着信履歴として保存する着信履歴記憶装置２８を備えるとともに、この着信履歴記憶装置２８に保存された着信履歴を読み出して携帯通信端末１０（１０ａ，１０ｂ，１０ｃ）に送信するようにしている。このため、携帯通信端末１０（１０ａ，１０ｂ，１０ｃ）が受信不可能状態でこの携帯通信端末１０（１０ａ，１０ｂ，１０ｃ）に音声呼着信があった場合でも、携帯通信端末１０（１０ａ，１０ｂ，１０ｃ）が位置登録要求をした場合に着信履歴記憶装置２８に保存された着信履歴を読み出すことにより容易に着信履歴を知ることが可能となる。
【００５６】
なお、上述した実施の形態においては、着信履歴情報を記憶する記憶装置２８を交換局２３に設ける例について説明したが、このような記憶装置２８を交換局２３に設けることに代えて、基地局２１に設けるようにしても良い。
また、上述した実施の形態においては、携帯通信端末として携帯電話機のみを用いた移動体通信システムの例について説明したが、携帯通信端末としては携帯電話機に限らず、ＰＨＳ（ｐｅｒｓｏｎａｌ  ｈａｎｄｙ−ｐｈｏｎｅ  ｓｙｓｔｅｍ）やＰＤＡ（ｐｅｒｓｏｎａｌ  ｄｉｇｉｔａｌ  ａｓｓｉｓｔａｎｔｓ）などの複数種類の携帯通信端末を有する移動体通信システムにも適用できることは明らかである。
【図面の簡単な説明】
【図１】本発明の移動体通信システムの概略構成を模式的に示す図である。
【図２】交換局の着信履歴を記憶するためのサービス番号１〜６の前半部の処理動作を示すフローチャートである。
【図３】交換局の着信履歴を記憶するためのサービス番号１の後半部の処理動作を示すフローチャートである。
【図４】交換局の着信履歴を記憶するためのサービス番号２の後半部の処理動作を示すフローチャートである。
【図５】交換局の着信履歴を記憶するためのサービス番号３の後半部の処理動作を示すフローチャートである。
【図６】交換局の着信履歴を記憶するためのサービス番号４の後半部の処理動作を示すフローチャートである。
【図７】交換局の着信履歴を記憶するためのサービス番号５の後半部の処理動作を示すフローチャートである。
【図８】交換局の着信履歴を記憶するためのサービス番号６の後半部の処理動作を示すフローチャートである。
【図９】交換局から携帯通信端末へ着信履歴を通知する処理動作を示すフローチャートである。
【図１０】携帯通信端末からの着信の問い合わせに対する着信記録の履歴読み出し動作を示すシーケンス図である。
【図１１】交換局から携帯通信端末へ着信履歴をメールにより通知する処理動作を示すシーケンス図である。
【符号の説明】
１０（１０ａ，１０ｂ，１０ｃ）…携帯電話機（携帯通信端末）、２１（２１ａ，２１ｂ，２１ｃ）…基地局（ＢＳ）、２２…移動電話網、２３…交換局（ＭＳＣ）、２４…ＨＬＲ、２５…サービスセンター、２６…メールサーバ、２７…留守電サーバ、２８…着信履歴記憶装置、２９…課金情報管理サーバ
【図１】
2004343406.tif 000003
【図２】
2004343406.tif 000004
【図３】
2004343406.tif 000005
【図４】
2004343406.tif 000006
【図５】
2004343406.tif 000007
【図６】
2004343406.tif 000008
【図７】
2004343406.tif 000009
【図８】
2004343406.tif 000010
【図９】
2004343406.tif 000011
【図１０】
2004343406.tif 000012
【図１１】
2004343406.tif 000013